(57)【要約】      （修正有）【課題】ハイブリッド光ディスクにおいて、他層へのアクセスを短時間で行える光ディスク装置および倍速決定方法を提供する。【解決手段】光ディスク装置１００は、光源１０６、光源制御手段１０８、集光手段１１０、受光手段１１２、信号処理手段１１４、サーボ手段１１６、ディスク判別手段１１８、倍速決定手段１２４を備える。上記構成により、光ディスク装置１００は、再生専用層と記録可能層を備えるハイブリッド光ディスクにおいて、再生専用層の再生倍速と記録可能層の再生倍速を同じとすることで場合に回転数の変更を不要とし、他層へのアクセス時間を最適にできる。【選択図】図１
2010250906.tif 000002
【特許請求の範囲】
【請求項１】
信号を再生するための再生専用層のみを有する再生専用光ディスクと、
信号を再生もしくは記録するための記録可能層のみを有する記録可能光ディスクと、
前記再生専用層と略同一構造の第２の再生専用層と前記記録可能層と略同一構造の第２の記録可能層を有するハイブリッド光ディスクと、
を再生もしくは記録する光ディスク装置であって、
光ディスクの種類を判別するディスク判別手段と、
光ディスクの再生倍速および記録倍速を決定する倍速決定手段と、
を備え、
前記ディスク判別手段の出力がハイブリッド光ディスクである場合に、前記倍速決定手段は前記第２の再生専用層の再生倍速と前記第２の記録可能層の再生倍速を同じとすることを特徴とする光ディスク装置。
【請求項２】
角速度一定のＣＡＶ倍速を前記ハイブリッド光ディスクの再生倍速とする請求項１記載の光ディスク装置。
【請求項３】
線速度一定のＣＬＶ倍速を前記ハイブリッド光ディスクの再生倍速とする請求項１記載の光ディスク装置。
【請求項４】
光ディスクの半径方向にゾーニングし各ゾーンで異なるＣＬＶ倍速を用いる倍速を前記ハイブリッド光ディスクの再生倍速とする請求項１記載の光ディスク装置。
【請求項５】
光ディスクの半径方向にゾーニングしＣＡＶ倍速とＣLＶ倍速とが混在する倍速を前記ハイブリッド光ディスクの再生倍速とする請求項１記載の光ディスク装置。
【請求項６】
前記倍速決定手段は、
前記再生専用光ディスクを再生するための再生倍速の集合である第１の再生倍速テーブルと、
前記記録可能光ディスクを再生するための再生倍速の集合である第２の再生倍速テーブルと、
を備え、
前記ディスク判別手段の出力がハイブリッド光ディスクである場合に、前記倍速決定手段は前記第１の再生倍速テーブルと前記第２の再生倍速テーブルの両方に含まれる共通の再生倍速の中から倍速を決定することを特徴とする請求項１記載の光ディスク装置。
【請求項７】
前記第１の再生倍速テーブルと前記第２の再生倍速テーブルは光ディスクの半径方向にゾーニングし各ゾーンで異なるＣＬＶ倍速を含み、ＣＬＶ倍速の切替半径位置が前記第１の再生倍速テーブルと前記第２の再生倍速テーブルで異なる場合は、切替半径位置が最も外周であるものを前記第１の再生倍速テーブルと前記第２の再生倍速テーブルから選択する請求項６記載の光ディスク装置。
【請求項８】
前記第１の再生倍速テーブルと前記第２の再生倍速テーブルは光ディスクの半径方向にゾーニングしＣＡＶ倍速とＣLＶ倍速とが混在する倍速を含み、ＣＡＶ倍速とＣLＶ倍速の切替半径位置が前記第１の再生倍速テーブルと前記第２の再生倍速テーブルで異なる場合は、切替半径位置が最も内周であるものを前記第１の再生倍速テーブルと前記第２の再生倍速テーブルから選択する請求項６記載の光ディスク装置。
【請求項９】
前記倍速決定手段は、前記第２の再生専用層の再生倍速と前記第２の記録可能層の再生倍速と前記第２の記録可能層の記録倍速を同じとすることを特徴とする請求項１記載の光ディスク装置。
【請求項１０】
角速度一定のＣＡＶ倍速を前記ハイブリッド光ディスクの再生倍速および記録倍速とする請求項９記載の光ディスク装置。
【請求項１１】
線速度一定のＣＬＶ倍速を前記ハイブリッド光ディスクの再生倍速および記録倍速とする請求項９記載の光ディスク装置。
【請求項１２】
光ディスクの半径方向にゾーニングし各ゾーンで異なるＣＬＶ倍速を用いる倍速を前記ハイブリッド光ディスクの再生倍速および記録倍速とする請求項９記載の光ディスク装置。
【請求項１３】
光ディスクの半径方向にゾーニングしＣＡＶ倍速とＣLＶ倍速とが混在する倍速を前記ハイブリッド光ディスクの再生倍速および記録倍速とする請求項９記載の光ディスク装置。
【請求項１４】
前記倍速決定手段は、
前記再生専用光ディスクを再生するための再生倍速の集合である第１の再生倍速テーブルと、
前記記録可能光ディスクを再生するための再生倍速の集合である第２の再生倍速テーブルと、
前記記録可能光ディスクを記録するための記録倍速の集合である第１の記録倍速テーブルと、
を備え、
前記倍速決定手段は前記第１の再生倍速テーブルと前記第２の再生倍速テーブルと前記第１の記録倍速テーブルの全てに含まれる共通の倍速の中から再生倍速および記録倍速を決定することを特徴とする請求項９記載の光ディスク装置。
【請求項１５】
前記第１の再生倍速テーブルと前記第２の再生倍速テーブルと前記第１の記録倍速テーブルは光ディスクの半径方向にゾーニングし各ゾーンで異なるＣＬＶ倍速を含み、ＣＬＶ倍速の切替半径位置が前記第１の再生倍速テーブルと前記第２の再生倍速テーブルと前記記録倍速テーブルで異なる場合は、切替半径位置が最も外周であるものを前記第１の再生倍速テーブルと前記第２の再生倍速テーブルと前記第１の記録倍速テーブルから選択する請求項１４記載の光ディスク装置。
【請求項１６】
前記第１の再生倍速テーブルと前記第２の再生倍速テーブルと前記第１の記録倍速テーブルが光ディスクの半径方向にゾーニングしＣＡＶ倍速とＣLＶ倍速とが混在する倍速を含み、ＣＡＶ倍速とＣLＶ倍速の切替半径位置が前記第１の再生倍速テーブルと前記第２の再生倍速テーブルと前記第１の記録倍速テーブルで異なる場合は、切替半径位置が最も内周であるものを前記第１の再生倍速テーブルと前記第２の再生倍速テーブルと前記第１の記録倍速テーブルから選択する請求項１４記載の光ディスク装置。
【請求項１７】
光を出射するための光源と、
光ディスクに前記光源の出力である光出力を集光し焦点を形成する集光手段と、
前記第２の再生専用層を再生する際は前記光源を第１の再生光出力で制御し、前記第２の記録可能層を再生する際は前記光源を第２の再生光出力で制御する光源制御手段と備え、
前記層間移動手段により前記第２の再生専用層から前記第２の記録可能層へ、或いは前記第２の記録可能層から前記第２の再生専用層へ前記焦点を移動させる層間移動動作の際に、
前記光源制御手段は層間移動前の光出力が層間移動後の光出力より大きい場合は層間移動前に光出力を層間移動後の光出力に変更し、層間移動前の光出力が層間移動後の光出力より小さい場合は層間移動後に光出力を層間移動後の光出力に変更することを特徴とする請求項１記載の光ディスク装置。
【請求項１８】
前記光源制御手段は前記光出力が整定しているかを判別する光出力整定判別手段をさらに備え、
前記光出力整定判別手段により前記光出力が整定したと判別された後に層間移動する請求項１７記載の光ディスク装置。
【請求項１９】
光ディスクからの反射光を受光する受光手段と、
前記受光手段からの出力信号を基に信号を処理する信号処理手段と、
前記信号処理手段は入力信号を増幅する増幅手段を備え、
前記光源制御手段が前記光出力を変更すると略同時に前記増幅手段の増幅率を変更する請求項１７記載の光ディスク装置。
【請求項２０】
前記信号処理手段は少なくとも、フォーカスエラー信号とトラッキングエラー信号を生成する請求項１９記載の光ディスク装置。
【請求項２１】
前記再生専用層と前記第２の再生専用層は凹凸のピットで構成されたトラックを持つ信号層である請求項１記載の光ディスク装置。
【請求項２２】
前記記録可能層と前記第２の記録可能層は溝で構成されたトラックを持つ信号層である請求項１記載の光ディスク装置。
【請求項２３】
前記再生専用光ディスクはＮ個の前記再生専用層を有し、
前記記録可能光ディスクはＮ個の前記記録可能層を有し、
前記再生専用光ディスクの表面から各々の前記再生専用層までの距離と前記記録可能光ディスクの表面から各々の前記記録可能層までの距離は略同一である請求項１記載の光ディスク装置。
【請求項２４】
前記ハイブリッド光ディスクはＭ個の前記第２の再生専用層とＬ個の前記第２の記録可能層を有し、前記ハイブリッド光ディスク表面から各々の前記第２の再生専用層までの距離と各々の前記第２の記録可能層までの距離は、前記再生専用層を（Ｍ＋Ｌ）個有する前記再生専用光ディスクの前記再生専用光ディスク表面から各々の前記再生専用層までの距離と略同一である請求項２３記載の光ディスク装置。
【請求項２５】
信号を再生するための再生専用層のみを有する再生専用光ディスクと、
信号を再生もしくは記録するための記録可能層のみを有する記録可能光ディスクと、
前記再生専用層と略同一構造の第２の再生専用層と前記記録可能層と略同一構造の第２の記録可能層を有するハイブリッド光ディスクと、
を再生もしくは記録する光ディスク装置における再生倍速決定方法であって、
光ディスクの種類を判別するディスク判別ステップと、
光ディスクの再生倍速および記録倍速を決定する倍速決定ステップと、
を備え、
前記ディスク判別ステップがハイブリッド光ディスクと判断した場合、前記倍速決定ステップは前記第２の再生専用層の再生倍速と前記第２の記録可能層の再生倍速を同じとすることを特徴とする倍速決定方法。
【請求項２６】
前記倍速決定ステップは、
前記再生専用光ディスクを再生するための再生倍速の集合である第１の再生倍速テーブルと、
前記記録可能光ディスクを再生するための再生倍速の集合である第２の再生倍速テーブルとの両方に含まれる共通の再生倍速の中から倍速を決定することを特徴とする請求項２５記載の倍速決定方法。
【請求項２７】
前記倍速決定ステップは、前記第２の再生専用層の再生倍速と前記第２の記録可能層の再生倍速と前記第２の記録可能層の記録倍速を同じとすることを特徴とする請求項２５記載の倍速決定方法。
【請求項２８】
前記倍速決定ステップは、
前記再生専用光ディスクを再生するための再生倍速の集合である第１の再生倍速テーブルと、
前記記録可能光ディスクを再生するための再生倍速の集合である第２の再生倍速テーブルと、
前記記録可能光ディスクを記録するための記録倍速の集合である第１の記録倍速テーブルとの全てに含まれる共通の倍速の中から再生倍速および記録倍速を決定することを特徴とする請求項２５記載の倍速決定方法。
【発明の詳細な説明】
【技術分野】
【０００１】
本発明は再生専用層と記録可能層を持つハイブリッド光ディスクおいて、ハイブリッド光ディスクの再生倍速及び記録倍速を決定し、再生や記録におけるアクセス時間を短くする光ディスク装置に関するものである。
【背景技術】
【０００２】
デジタル情報を再生、記録する光ディスクとして、コンパクトディスク（以下、ＣＤと称す）やＤＶＤが広く普及している。また、近年はさらに高密度の記録が可能な光ディスクとしてＢｌｕ−ｒａｙ  Ｄｉｓｃ(以下、ＢＤと称す)が提案され、市場での普及が始まっている。光ディスクには、情報を再生するための信号層である再生専用層のみを有する再生専用光ディスク（図２（ａ））と、情報を再生および記録するための信号層である記録可能層のみを有する記録可能光ディスク（図２（ｂ））がある。記録可能光ディスクは、１度のみ記録が可能な追記型光ディスクと書き換え記録が可能な書換型光ディスクがある。これら光ディスクは、例えばＢＤ規格では、再生専用光ディスクとしてＢＤ−ＲＯＭ、追記型光ディスクとしてＢＤ−Ｒ、書換型光ディスクとしてＢＤ−ＲＥが規格化されている。これに対し、近年、再生専用層と略同一の構造の第２の再生専用層と、記録可能層と略同一の構造の第２記録可能層の両方を有するハイブリッド光ディスクが提案されている（図２（ｃ）、例えば、特許文献１参照）。このようなハイブリッド光ディスクの使用用途としては、第２再生専用層の情報が更新された場合に、更新された情報を第２の記録可能層に記録し情報を更新することが考えられる。光ディスク装置においてはこれら様々な光ディスクに対して再生、または記録のサポートをする必要がある。
【０００３】
光ディスク装置は一般的に、情報を再生、記録する速度である再生倍速、記録倍速を複数サポートしている。倍速には、半径位置によらず回転数（角速度）一定のＣＡＶ倍速（図３（ａ）参照）、半径位置により線速度一定のＣＬＶ倍速がある（図３（ｂ）参照）。さらに、倍速にはＣＡＶ倍速とＣＬＶ倍速を組み合わせたものがある。光ディスクの半径方向を複数にゾーニングし各ゾーンで異なるＣＬＶ倍速を持つ所謂ＺＣＬＶ倍速（図３（ｃ）参照）や、同じく光ディスクを半径方向に複数にゾーニングしＣＬＶ倍速とＣＡＶ倍速を混在させた所謂ＰＣＡＶ倍速（図３（ｄ））である。
【０００４】
光ディスク装置で再生倍速や記録倍速は高いほど、再生や記録に要する時間が短くなる。しかし、例えば、光ディスクに想定外の部分的な偏芯があると、所望の位置へ焦点を追従させにくくなり、再生や記録が困難になる。このような偏芯に焦点を追従させるには制御利得を上げれば良いが発熱などの点から容易ではない。このような場合でも、再生や記録を継続するために、追従残差を再生中など所定のタイミングで測定し、追従残差が所定値よりも大きい場合に再生倍速や記録倍速を下げる手段が用いられる。そのため、光ディスク装置は１種類の光ディスクに対して複数の再生倍速や記録倍速を用意している。
【先行技術文献】
【特許文献】
【０００５】
【特許文献１】特開平１１−１８５３６４号公報
【発明の概要】
【発明が解決しようとする課題】
【０００６】
ハイブリッド光ディスクでの第２の再生専用層の再生倍速、第２の記録可能層の再生倍速、第２の記録可能層の記録倍速を考える。仮に、第２の再生専用層の再生倍速に再生専用光ディスクに対してサポートする最も高い再生倍速を、第２の記録可能層の再生倍速に記録可能光ディスクに対してサポートする最も高い再生倍速を、第２の記録可能層の記録倍速に記録可能光ディスクに対してサポートする最も高い記録倍速を選択したとする。例えば、第２の再生専用層の再生倍速が６倍ＣＡＶ、第２の記録可能層の再生倍速が４倍ＣＡＶ、第２の記録可能層の記録倍速が２倍ＣＬＶである。ここで、光ディスク装置が第２の再生専用層を再生中に、ホストコンピュータから光ディスク装置に第２の記録可能層の再生が命令されるとする。第２の再生専用層の再生倍速と第２の記録可能層の再生倍速とは異なるため、第２の記録可能層への移動に伴って回転数変更が発生し、再生までに余分な時間を要する。例えば、ノートＰＣ向け光ディスク装置では、回転数変更だけで１秒以上の時間を要する。さらに、ホストコンピュータから第２の記録可能層を再生中に第２の記録可能層への記録が命令されるとする。第２の記録可能層の再生倍速と第２の記録可能層の記録倍速とは異なるため、第２の記録可能層への記録に伴って回転数変更が発生し、記録までに余分な時間を要する。
【０００７】
また、一般に再生専用層の反射率と記録可能層の反射率を比較すると記録可能層の反射率の方が低い。反射率が低いほど、反射光に含まれる信号成分が小さくなる。そのため記録可能層を再生する際の光源の光出力は再生専用層を再生する際の光源の光出力よりも大きくすることが適当である。同様なことは、第２の再生専用層と第２の記録可能層とにも言え、信号層により光源の光出力を変えることが適当である。例えば、第２の再生専用層を０．５ｍＷの光出力で、第２の記録可能層を１．０ｍＷの光出力で再生することを考える。ここで、光ディスク装置が第２の記録可能層を再生中に、ホストコンピュータから光ディスク装置に第２の再生専用層への再生が命令されるとする。光ディスク装置が１．０ｍＷの光出力のまま焦点を第２の再生専用層へ移動させると、第２の再生専用層に対しては所定以上の光出力が加わることになり、第２の再生専用層に書かれた信号の品質を劣化させる場合がある。
【０００８】
さらに、光ディスク装置の開発において、サポートする光ディスクが増えると設計・検証の工数が増えると共に、内蔵するサポートする光ディスク用の各種設定テーブルが増大するためソフトウェア容量も増えてしまい、光ディスク装置のコストが増えるという課題がある。
【課題を解決するための手段】
【０００９】
従来の課題を解決するために、本発明の光ディスク装置は、信号を再生するための再生専用層のみを有する再生専用光ディスクと、信号を再生もしくは記録するための記録可能層のみを有する記録可能光ディスクと、前記再生専用層と略同一構造の第２の再生専用層と前記記録可能層と略同一構造の第２の記録可能層を有するハイブリッド光ディスクと、
を再生もしくは記録する光ディスク装置であって、光ディスクの種類を判別するディスク判別手段と、光ディスクの再生倍速および記録倍速を決定する倍速決定手段とを備え、
前記ディスク判別手段の出力がハイブリッド光ディスクである場合に、前記倍速決定手段は前記第２の再生専用層の再生倍速と前記第２の記録可能層の再生倍速を同じとすることを特徴とする。
【００１０】
また、角速度一定のＣＡＶ倍速を前記ハイブリッド光ディスクの再生倍速とすることを特徴とする。
【００１１】
また、線速度一定のＣＬＶ倍速を前記ハイブリッド光ディスクの再生倍速とすることを特徴とする。
【００１２】
また、光ディスクの半径方向にゾーニングし各ゾーンで異なるＣＬＶ倍速を用いる倍速を前記ハイブリッド光ディスクの再生倍速とすることを特徴とする。
【００１３】
また、光ディスクの半径方向にゾーニングしＣＡＶ倍速とＣLＶ倍速とが混在する倍速を前記ハイブリッド光ディスクの再生倍速とすることを特徴とする。
【００１４】
また、前記倍速決定手段は前記再生専用光ディスクを再生するための再生倍速の集合である第１の再生倍速テーブルと、前記記録可能光ディスクを再生するための再生倍速の集合である第２の再生倍速テーブルとを備え、前記ディスク判別手段の出力がハイブリッド光ディスクである場合に、前記倍速決定手段は前記第１の再生倍速テーブルと前記第２の再生倍速テーブルの両方に含まれる共通の再生倍速の中から倍速を決定することを特徴とする。
【００１５】
また、前記第１の再生倍速テーブルと前記第２の再生倍速テーブルは光ディスクの半径方向にゾーニングし各ゾーンで異なるＣＬＶ倍速を含み、ＣＬＶ倍速の切替半径位置が前記第１の再生倍速テーブルと前記第２の再生倍速テーブルで異なる場合は、切替半径位置が最も外周であるものを前記第１の再生倍速テーブルと前記第２の再生倍速テーブルから選択することを特徴とする。
【００１６】
また、前記第１の再生倍速テーブルと前記第２の再生倍速テーブルは光ディスクの半径方向にゾーニングしＣＡＶ倍速とＣLＶ倍速とが混在する倍速を含み、ＣＡＶ倍速とＣLＶ倍速の切替半径位置が前記第１の再生倍速テーブルと前記第２の再生倍速テーブルで異なる場合は、切替半径位置が最も内周であるものを前記第１の再生倍速テーブルと前記第２の再生倍速テーブルから選択することを特徴とする。
【００１７】
また、前記倍速決定手段は、前記第２の再生専用層の再生倍速と前記第２の記録可能層の再生倍速と前記第２の記録可能層の記録倍速を同じとすることを特徴とする。
【００１８】
また、角速度一定のＣＡＶ倍速を前記ハイブリッド光ディスクの再生倍速および記録倍速とすることを特徴とする。
【００１９】
また、線速度一定のＣＬＶ倍速を前記ハイブリッド光ディスクの再生倍速および記録倍速とすることを特徴とする。
【００２０】
また、光ディスクの半径方向にゾーニングし各ゾーンで異なるＣＬＶ倍速を用いる倍速を前記ハイブリッド光ディスクの再生倍速および記録倍速とすることを特徴とする。
【００２１】
また、光ディスクの半径方向にゾーニングしＣＡＶ倍速とＣLＶ倍速とが混在する倍速を前記ハイブリッド光ディスクの再生倍速および記録倍速とすることを特徴とする。
【００２２】
また、前記倍速決定手段は前記再生専用光ディスクを再生するための再生倍速の集合である第１の再生倍速テーブルと、前記記録可能光ディスクを再生するための再生倍速の集合である第２の再生倍速テーブルと、前記記録可能光ディスクを記録するための第１の記録倍速の集合である記録倍速テーブルとを備え、前記倍速決定手段は前記第１の再生倍速テーブルと前記第２の再生倍速テーブルと前記第１の記録倍速テーブルの全てに含まれる共通の倍速の中から再生倍速および記録倍速を決定することを特徴とする。
【００２３】
また、前記第１の再生倍速テーブルと前記第２の再生倍速テーブルと前記第１の記録倍速テーブルは光ディスクの半径方向にゾーニングし各ゾーンで異なるＣＬＶ倍速を含み、ＣＬＶ倍速の切替半径位置が前記第１の再生倍速テーブルと前記第２の再生倍速テーブルと前記記録倍速テーブルで異なる場合は、切替半径位置が最も外周であるものを前記第１の再生倍速テーブルと前記第２の再生倍速テーブルと前記第１の記録倍速テーブルから選択することを特徴とする。
【００２４】
また、前記第１の再生倍速テーブルと前記第２の再生倍速テーブルと前記第１の記録倍速テーブルが光ディスクの半径方向にゾーニングしＣＡＶ倍速とＣLＶ倍速とが混在する倍速を含み、ＣＡＶ倍速とＣLＶ倍速の切替半径位置が前記第１の再生倍速テーブルと前記第２の再生倍速テーブルと前記記録倍速テーブルで異なる場合は、切替半径位置が最も内周であるものを前記第１の再生倍速テーブルと前記第２の再生倍速テーブルと前記第１の記録倍速テーブルから選択することを特徴とする。
【００２５】
また、光を出射するための光源と、光ディスクに前記光源の出力である光出力を集光し焦点を形成する集光手段と、前記第２の再生専用層を再生する際は前記光源を第１の再生光出力で制御し、前記第２の記録可能層を再生する際は前記光源を第２の再生光出力で制御する光源制御手段とを備え、前記層間移動手段により前記第２の再生専用層から前記第２の記録可能層へ、或いは前記第２の記録可能層から前記第２の再生専用層へ前記焦点を移動させる層間移動動作の際に、前記光源制御手段は層間移動前の光出力が層間移動後の光出力より大きい場合は層間移動前に光出力を層間移動後の光出力に変更し、層間移動前の光出力が層間移動後の光出力より小さい場合は層間移動後に光出力を層間移動後の光出力に変更することを特徴とする。
【００２６】
また、前記光源制御手段は前記光出力が整定しているかを判別する光出力整定判別手段をさらに備え、前記光出力整定判別手段により前記光出力が整定したと判別された後に層間移動することを特徴とする。
【００２７】
また、光ディスクからの反射光を受光する受光手段と、前記受光手段からの出力信号を基に信号を処理する信号処理手段と、前記信号処理手段は入力信号を増幅する増幅手段を備え、前記光源制御手段が前記光出力を変更すると略同時に前記増幅手段の増幅率を変更することを特徴とする。
【００２８】
また、前記信号処理手段は少なくとも、フォーカスエラー信号とトラッキングエラー信号を生成することを特徴とする。
【００２９】
また、前記再生専用層と前記第２の再生専用層は凹凸のピットで構成されたトラックを持つ信号層であることを特徴とする。
【００３０】
また、前記記録可能層と前記第２の記録可能層は溝で構成されたトラックを持つ信号層であることを特徴とする。
【００３１】
また、前記再生専用光ディスクはＮ個の前記再生専用層を有し、前記記録可能光ディスクはＮ個の前記記録可能層を有し、前記再生専用光ディスクの表面から各々の前記再生専用層までの距離と前記記録可能光ディスクの表面から各々の前記記録可能層までの距離は略同一であることを特徴とする。
【００３２】
また、前記ハイブリッド光ディスクはＭ個の前記第２の再生専用層とＬ個の前記第２の記録可能層を有し、前記ハイブリッド光ディスク表面から各々の前記第２の再生専用層までの距離と各々の前記第２の記録可能層までの距離は、前記再生専用層を（Ｍ＋Ｌ）個有する前記再生専用光ディスクの前記再生専用光ディスク表面から各々の前記再生専用層までの距離と略同一であることを特徴とする。
【００３３】
また、本発明の倍速決定方法は、信号を再生するための再生専用層のみを有する再生専用光ディスクと、信号を再生もしくは記録するための記録可能層のみを有する記録可能光ディスクと、前記再生専用層と略同一構造の第２の再生専用層と前記記録可能層と略同一構造の第２の記録可能層を有するハイブリッド光ディスクと、を再生もしくは記録する光ディスク装置における再生倍速決定方法であって、光ディスクの種類を判別するディスク判別ステップと、光ディスクの再生倍速および記録倍速を決定する倍速決定ステップとを備え、前記ディスク判別ステップがハイブリッド光ディスクと判断した場合、前記倍速決定ステップは前記第２の再生専用層の再生倍速と前記第２の記録可能層の再生倍速を同じとすることを特徴とする。
【００３４】
また、前記倍速決定ステップは前記再生専用光ディスクを再生するための再生倍速の集合である第１の再生倍速テーブルと、前記記録可能光ディスクを再生するための再生倍速の集合である第２の再生倍速テーブルとの両方に含まれる共通の再生倍速の中から倍速を決定することを特徴とする。
【００３５】
また、前記倍速決定ステップは、前記第２の再生専用層の再生倍速と前記第２の記録可能層の再生倍速と前記第２の記録可能層の記録倍速を同じとすることを特徴とする。
【００３６】
また、前記倍速決定ステップは前記再生専用光ディスクを再生するための再生倍速の集合である第１の再生倍速テーブルと、前記記録可能光ディスクを再生するための再生倍速の集合である第２の再生倍速テーブルと、前記記録可能光ディスクを記録するための記録倍速の集合である記録倍速テーブルとの全てに含まれる共通の倍速の中から再生倍速および記録倍速を決定することを特徴とする。
【発明の効果】
【００３７】
本発明の光ディスク装置を用いることで、ハイブリッド光ディスクにおいて他層へのアクセス時間を最適にできる。
【００３８】
また、光ディスクに書かれた信号の品質を劣化させることなく他層へのアクセスが可能となる。
【００３９】
さらに、再生専用光ディスク及び記録可能光ディスクの再生倍速テーブル、記録倍速テーブルをハイブリッド光ディスクに使用できるため、光ディスク装置のハイブリッド光ディスクに関する設計・検証工数を削減できると共に、ソフトウェア容量も削減できるという効果がある。
【図面の簡単な説明】
【００４０】
【図１】本発明の実施の形態１から実施の形態５における光ディスク装置を示す図
【図２】再生専用光ディスクと記録可能光ディスクとハイブリッド光ディスクの構成を示す図
【図３】光ディスクにおける倍速の種類を示す図
【図４】本発明の実施の形態１における倍速決定手段１２４が持つ倍速テーブルを示す図
【図５】本発明の実施の形態１における動作を示したフローチャート
【図６】本発明の実施の形態２における倍速決定手段１２４が持つ倍速テーブルを示す図
【図７】本発明の実施の形態２における動作を示したフローチャート
【図８】本発明の実施の形態３における倍速決定手段１２４が持つ倍速テーブルを示す図
【図９】本発明の実施の形態３における動作を示したフローチャート
【図１０】本発明の実施の形態４における倍速決定手段１２４が持つ倍速テーブルを示す図
【図１１】本発明の実施の形態４における動作を示したフローチャート
【図１２】本発明の実施の形態５における動作を示したフローチャート
【図１３】本発明の実施の形態５における光出力整定判別手段１３０２を有する光源制御手段１０８を示す図
【図１４】本発明の実施の形態５における増幅手段１４０２を有する信号処理手段１１４を示す図
【発明を実施するための形態】
【００４１】
以下、本発明を実施するための実施の形態について、図面を用いて説明する。
【００４２】
（実施の形態１）
図１は本発明の実施の形態１に係る光ディスク装置１００の構成を示したブロック図である。
【００４３】
光ディスク１０２は光により形成された焦点により情報を再生または記録する媒体である。光アップピック１０４は、光源１０６、光源制御手段１０８、集光手段１１０、受光手段１１２、フォーカスアクチュエータ（図示しない）、トラッキングアクチュエータ（図示しない）を備える。光源１０６の出力である光出力は、光源制御手段１０８と集光手段１１０に入力される。光源制御手段１０８の出力である光出力制御信号は、光源１０６に入力される。集光手段１１０の出力である反射光は、受光手段１１２に入力される。受光手段１１２の出力である受光信号は信号処理手段１１４に入力される。信号処理手段１１４の出力である信号処理信号は、サーボ手段１１６とディスク判別手段１１８とシステムコントローラ１２０に入力される。サーボ手段１１６の出力であるサーボ制御信号はフォーカスアクチュエータ（図示しない）、トラッキングアクチュエータ（図示しない）に入力される。ディスク判別手段１１８の出力であるディスク判別信号はシステムコントローラ１２０に入力される。システムコントローラ１２０の出力は、目標光出力信号が光源制御手段１０８に、信号処理手段制御信号が信号処理手段１１４に、サーボ手段制御信号がサーボ手段１１６に、目標回転数信号がディスクモータ１２２に入力される。ディスクモータ１２２の出力である回転数信号は、システムコントローラ１２０に入力される。
【００４４】
光ディスク１０２は、光により形成された焦点により情報を再生または記録する媒体である。図２に光ディスクの例を挙げる。図２（ａ）は情報を再生するための信号層である再生専用層のみを持つ再生専用光ディスク１０２であり、例えばＢＤ−ＲＯＭである。図２（ｂ）は情報を再生および記録するための信号層である記録可能層のみを持つ記録可能光ディスク１０２であり、例えばＢＤ−ＲやＢＤ−ＲＥである。さらに図２（ｃ）は、図２（ａ）の再生専用層と略同一の構造の第２の再生専用層と、図２（ｂ）の記録可能層と略同一の構造の第２記録可能層の両方を有するハイブリッド光ディスク１０２である。
【００４５】
再生専用層と記録可能層の光ディスク表面からの位置は、ＢＤ・ＤＶＤ・ＣＤそれぞれにおいて再生専用層の数または記録可能層の数によってほぼ同一である。例えば、再生専用光ディスクであるＢＤ−ＲＯＭであれば再生専用層が１つの場合は光ディスク表面から略１００ｕｍ、再生専用層が２つの場合は光ディスク表面から略１００ｕｍと略７５ｕｍに位置する。同様に、記録可能光ディスクであるＢＤ−ＲやＢＤ−ＲＥであれば記録可能層が１つの場合は光ディスク表面から略１００ｕｍ、記録可能層が２つの場合は光ディスク表面から略１００ｕｍと略７５ｕｍに位置する。第２の再生専用層の光ディスク表面からの位置は、２つの再生専用層を持つ再生専用光ディスクのどちらか一方の再生専用層と略同じ位置にあり、第２の記録可能層はもう一方の再生専用層と略同じ位置にある。例えば、ハイブリッド光ディスクにおいて第２の再生専用層は光ディスク表面から略１００ｕｍ、第２の記録可能層は光ディスク表面から略７５ｕｍに位置する。再生専用層と第２の再生専用層は凹凸のピットで構成されたトラックを持つ層である。記録可能層と第２の記録可能層は溝で構成されたトラックを持つ層である。これら以外の物理的および論理的フォーマットは再生専用層と２の再生専用層と略同一である。第２の記録可能層についても、記録可能層と物理的および論理的フォーマットは略同一である。
【００４６】
光源１０６は、光を出射する素子であり、ＢＤには波長が略４０５ｎｍの青紫色半導体レーザを、ＤＶＤには波長が略６６０ｎｍの赤色半導体レーザを、ＣＤには波長が略７８０ｎｍの赤外半導体レーザを使用する。
【００４７】
光源制御手段１０８は、光出力がシステムコントローラ１２０から入力された目標光出力信号になるように光源１０６からの光出力を検出し制御する。光源制御手段１０８は、光源１０６への制御信号として光出力制御信号を出力する。
【００４８】
集光手段１１０は、光出力が光ディスク１０２上に焦点を形成するような光学素子である。ここで、光学素子とは、例えば、コリメータレンズ、１／４波長板、対物レンズなどである。
【００４９】
受光手段１１２は、光ディスク１０２からの反射光を受け電気信号に変換する光電変換素子である。
【００５０】
信号処理手段１１４は、受光信号に基づいて信号を生成する。ここで、生成される信号とは、例えば、フォーカスエラー信号、トラッキングエラー信号、ウォブル信号である。
【００５１】
サーボ手段１１６は、信号処理信号のうち、フォーカスエラー信号に基づいてフォーカスアクチュエータを、トラッキングエラー信号に基づいてトラッキングアクチュエータを制御するサーボ制御信号を出力する。また、サーボ手段１１６は、サーボ手段制御信号に基づいてサーボ手段１１６の状態を変更する。例えば、光ディスク１０２の情報を再生する際は、サーボ手段１１６はフォーカス制御およびトラッキング制御は動作状態とする。また、光ディスク１０２の層と層の間を移動する層間移動をする際は、サーボ手段１１６はトラッキング制御を非動作状態としフォーカスアクチュエータに層間を移動するサーボ制御信号を入力する。
【００５２】
ディスク判別手段１１８は、信号処理信号を基にディスクの種類を判別する。ディスク判別手段１１８は、例えば、ＢＤ用の青紫色半導体レーザをシステムコントローラ１２０から入力された目標光出力信号になるように、光源制御手段１０８により光源１０６を制御する。また、ディスク判別手段１１８は、フォーカスアクチュエータ（図示しない）をサーボ手段１１６からのサーボ制御信号により光ディスク１０２に近づけ、信号処理手段１１４から出力されるフォーカスエラー信号に基づいてＢＤか否かを判別する。また、ディスク判別手段１１８は、例えば、光ディスク１０２に記録されたディスク種類情報を再生して判別する。
【００５３】
システムコントローラ１２０は、光ディスク装置１００のコントローラである。システムコントローラ１２０は倍速決定手段１２４を備える。
【００５４】
倍速決定手段１２４が持つ倍速テーブルを図４に示す。図４は第１の再生倍速テーブル４０２、第２の再生倍速テーブル４０４、第１の記録倍速テーブル４０６、第３の再生倍速テーブル４０８、第２の記録倍速テーブル４１０から構成される。
【００５５】
倍速決定手段１２４は、ディスク判別信号や信号処理信号を基に光ディスク装置１００で光ディスク１０２に応じて再生倍速と記録倍速を決定する。再生専用光ディスクの再生倍速は第１の再生倍速テーブル４０２から選ばれる。記録可能光ディスクの再生倍速は第２の再生倍速テーブル４０４から選ばれる。記録可能光ディスクの記録倍速は第１の記録倍速テーブル４０６から選ばれる。ハイブリッド光ディスクの再生倍速は第３の再生倍速テーブル４０８から選ばれる。ハイブリッド光ディスクの記録倍速は第２の記録倍速テーブル４１０から選ばれる。ハイブリッド光ディスクでは第２の再生専用層と第２の記録可能層によらず第３の再生倍速テーブル４０８は同じあり、第２の再生専用層の再生倍速と第２の記録可能層の再生倍速は同じ倍速が決められる。
【００５６】
システムコントローラ１２０は、信号処理信号の中から例えばフォーカスエラー信号と所定のレベルを比較する。もし、所定のレベル以上であれば所望の位置に焦点を追従できず、再生や記録が困難だと判断する。その場合には倍速抑制信号を倍速決定手段１２４に出力する。倍速決定手段１２４は再生倍速を再生倍速テーブルの中から、記録倍速を記録倍速テーブルの中から再選択し、再生倍速および記録倍速を下げる。
【００５７】
倍速決定手段１２４で決定された倍速はＣＡＶ倍速では半径位置情報によらず、ＣＬＶ倍速、ＺＣＬＶ倍速、ＰＣＡＶ倍速は半径位置情報に基づいてディスクモータ１２２の目標回転数を決定し、目標回転数信号をディスクモータ１２２へ入力する。
【００５８】
ディスクモータ１２２は、光ディスク１０２を回転させる機構である。ディスクモータ１２２は、その回転数を計測するための回転数センサ（図示しない）を備え、回転数センサ信号としてシステムコントローラ１２０に入力する。システムコントローラ１２０は、回転数センサ信号に基づいてディスクモータ１２２の回転数を求め、回転数が目標回転数になるように目標回転数信号を決定する。
【００５９】
以上の構成において、実施の形態１に係る光ディスク装置１００について図５を参照して説明する。図５は、実施の形態１に係るハイブリッド光ディスクにおける倍速決定のフローチャートである。
【００６０】
この方法において、光ディスク装置１００には光ディスク１０２が挿入され（Ｓ５００）、ディスク判別手段１１８で光ディスク１０２の種類を判別する（Ｓ５０２）。ディスク判別の結果、光ディスク１０２がハイブリッド光ディスクと判別されたなら、倍速決定手段１２４は第３の再生倍速テーブル４０８から第２の再生専用層の再生倍速と第２の記録可能層の再生倍速を、第２の記録倍速テーブル４１０から記録倍速をそれぞれ決定する（Ｓ５０４）。光ディスク１０２が再生専用光ディスクと判別されたなら、倍速決定手段１２４は第１の再生倍速テーブル４０２から再生倍速を決定する（Ｓ５０６）。光ディスク１０２が記録可能光ディスクと判別されたなら、倍速決定手段１２４は第２の再生倍速テーブル４０４から再生倍速を、第１の記録倍速テーブル４０６から記録倍速を決定する（Ｓ５０８）。
【００６１】
以上のように、実施の形態１の光ディスク装置１００によれば、ハイブリッド光ディスクの第２の再生専用層の再生倍速と第２の記録可能層の再生倍速を同じにできる。これにより、第２の再生専用層から第２の記録可能層へ、或いは第２の記録可能層から第２の再生専用層へ焦点を層間移動させる場合に、ディスクモータ１２２の加減速が不要にすることで、層間移動を素早く行い、次に続く再生の指令にスムーズに行える。
【００６２】
なお、ハイブリッド光ディスクの再生倍速はＣＡＶ倍速としても良い。これにより、半径方向に応じてディスクモータ１２２の回転数を変更することが不要となり、光ディスク１０２の半径方向でディスクモータ１２２の加減速が不要となることで焦点の移動が素早く行える。さらに、消費電力を低くできる。
【００６３】
なお、ハイブリッド光ディスクの再生倍速はＣＬＶ倍速としても良い。これにより、線速度が一定のため半径方向に応じて再生パラメータの変更が不要となり、安定した再生が可能となる。
【００６４】
なお、ハイブリッド光ディスクの再生倍速はＺＣＬＶ倍速としても良い。これにより、同じゾーンにおいては線速度が一定のため半径方向に応じて再生パラメータの変更が不要となり安定した再生が可能となる。また、ある半径位置においてより高いＣＬＶ倍速に変更するため再生倍速を高くできため、再生時間が短くなる。
【００６５】
なお、ハイブリッド光ディスクの再生倍速はＰＣＡＶ倍速としても良い。これにより、ＣＡＶ倍速を用いる領域ではディスクモータ１２２の加減速が不要となることで焦点の移動が素早く行える。さらに、消費電力を低くできる。また、再生倍速を高くでき、再生時間が短くなる。
【００６６】
なお、ディスク判別手段１１８は、複数回の判別を行って光ディスク１０２がハイブリッド光ディスクか再生専用光ディスクか記録可能光ディスクかを判別しても良い。
【００６７】
光ディスク１０２に書かれた物理情報を再生して光ディスク１０２がハイブリッド光ディスクか再生専用光ディスクか記録可能光ディスクかを判別する場合は、まずディスク判別手段１１８は物理情報を再生する信号層が再生専用層もしくは第２の再生専用層か記録可能層もしくは第２の記録可能層かを判別する。再生専用層か記録可能層かを判別するには、トラッキングエラー信号などを用いれば可能である。その後再生専用層もしくは記録可能層に適した形でサーボ手段１１６はフォーカス制御およびトラッキング制御は動作状態とする。その後、ディスク判別手段１１８は、物理情報を再生した情報に基づいて、光ディスク１０２がハイブリッド光ディスクか再生専用光ディスクか記録可能光ディスクかを判別する。これにより、物理情報を再生するまでにディスク判別手段１１８が、光ディスク１０２がハイブリッド光ディスクか再生専用光ディスクか記録可能光ディスクかを判別できない場合でも、光ディスク１０２を起動できる。
【００６８】
なお、倍速決定手段１２４が倍速抑制信号を受けて倍速抑制を行う場合には、第３の再生倍速テーブル４０８から再生倍速を再選択する。例えば、再生倍速が６倍ＣＡＶの場合に倍速抑制を行う場合は、４ｘＣＡＶを選択する。なお、記録倍速は再生倍速を超えない範囲で第２の記録倍速テーブル４１０から再選択する。
【００６９】
なお、再生専用層と第２の再生専用層は凹凸のピットで構成されたトラックを持つ信号層である。これにより、第２の再生専用層の物理的フォーマットを再生専用層の物理フォーマットと合わせることが可能なため、第２の再生専用層に向けた新たな開発が不要で、開発期間が削減できる。
【００７０】
なお、記録可能層と第２の記録可能層は溝で構成されたトラックを持つ信号層である。これにより、第２の記録可能層の物理的フォーマットを記録可能層の物理フォーマットと合わせることが可能なため、第２の記録可能層に向けた新たな開発が不要で、開発期間が削減できる。
【００７１】
（実施の形態２）
実施の形態２に係る光ディスク装置は図１における光ディスク装置１００と同じ構成なので説明を省略する。また、前述した実施の形態１と同じ構成については、図１から図５までと同じ符号を付し説明を省略する。
【００７２】
実施の形態２における倍速決定手段１２４が持つ倍速テーブルを図６に示す。図６は第１の再生倍速テーブル６０２、第２の再生倍速テーブル６０４、第１の記録倍速テーブル６０６、第３の再生倍速テーブル６０８、第２の記録倍速テーブル６１０から構成される。
【００７３】
倍速決定手段１２４は、ディスク判別信号や信号処理信号を基に光ディスク装置１００で光ディスク１０２に応じて再生倍速と記録倍速を決定する。再生専用光ディスクの再生倍速は第１の再生倍速テーブル６０２から選ばれる。記録可能光ディスクの再生倍速は第２の再生倍速テーブル６０４から選ばれる。記録可能光ディスクの記録倍速は第１の記録倍速テーブル６０６から選ばれる。
【００７４】
第１の再生倍速テーブル６０２と第２の再生倍速テーブル６０４に共通な再生倍速を抽出し、第３の再生倍速テーブル６０８を作成し、ハイブリッド光ディスクの再生倍速は第３の再生倍速テーブル６０８から選ばれる。図６においては、1倍ＣＬＶ、２倍ＣＬＶ、２倍−４倍ＺＣＬＶ、４倍ＣＡＶ、６倍ＰＣＡＶが共通なので、これらが第３の再生倍速テーブル６０８となる。ハイブリッド光ディスクの記録倍速は第２の記録倍速テーブル６１０から選ばれる。ハイブリッド光ディスクでは第２の再生専用層と第２の記録可能層によらず第３の再生倍速テーブル６０８は同じあり、第２の再生専用層の再生倍速と第２の記録可能層の再生倍速は同じ倍速が決められる。
【００７５】
以上の構成において、実施の形態２に係る光ディスク装置１００について図７を参照して説明する。図７は、実施の形態２に係るハイブリッド光ディスクにおける倍速決定のフローチャートである。
【００７６】
この方法において、光ディスク装置１００には光ディスク１０２が挿入され（Ｓ５００）、ディスク判別手段１１８で光ディスク１０２の種類を判別する（Ｓ５０２）。ディスク判別の結果、光ディスク１０２がハイブリッド光ディスクと判別されたなら、倍速決定手段１２４は第１の再生倍速テーブル７０２と第２の再生倍速テーブル７０４に共通な再生倍速から第３の再生倍速テーブル７０８を作成する（Ｓ７００）。そして倍速決定手段１２４は、第３の再生倍速テーブル７０８から第２の再生専用層の再生倍速と第２の記録可能層の再生倍速を、第２の記録倍速テーブル７１０から記録倍速をそれぞれ決定する（Ｓ７０２）。光ディスク１０２が再生専用光ディスクと判別されたなら、倍速決定手段１２４は第１の再生倍速テーブル７０２から再生倍速を決定する（Ｓ７０４）。光ディスク１０２が記録可能光ディスクと判別されたなら、倍速決定手段１２４は第２の再生倍速テーブル７０４から再生倍速を、第１の記録倍速テーブル７０６から記録倍速を決定する（Ｓ７０６）。
【００７７】
以上のように、実施の形態２の光ディスク装置１００によれば、ハイブリッド光ディスクの第２の再生専用層の再生倍速と第２の記録可能層の再生倍速を同じにできる。これにより、第２の再生専用層から第２の記録可能層へ、或いは第２の記録可能層から第２の再生専用層へ焦点を層間移動させる場合に、ディスクモータ１２２の加減速が不要にすることで、層間移動を素早く行い、次に続く再生の指令にスムーズに行える。さらに、第３の再生倍速テーブル７０８のみを用意すれば良く、ハイブリッド光ディスク向けの設計・検証が不要なため工数が増えない。また、各種設定テーブルが不要なため、ソフトウェアコストが増えない。
【００７８】
なお、第１の再生倍速テーブル７０２と第２の再生倍速テーブル７０４から共通なＺＣＬＶ倍速が選択された場合に、例えば、図７では２倍−４倍ＺＣＬＶ倍速である。２倍ＣＬＶと4倍ＣＬＶは所定の切替半径位置で切替えられる。第１の再生倍速テーブル７０２の２倍−4倍ＺＣＬＶ倍速と、第２の再生倍速テーブル７０４の２倍−4倍ＺＣＬＶ倍速で切替半径位置が異なる場合でも、第１の再生倍速テーブル７０２の２倍−4倍ＺＣＬＶ倍速と第２の再生倍速テーブル７０４の２倍−4倍ＺＣＬＶ倍速は同じ倍速とみなす。第３の再生倍速テーブル７０８の２倍−4倍ＺＣＬＶ倍速における所定の切替半径位置は、第１の再生倍速テーブルでの切替半径位置と第２の再生倍速テーブル７０４の倍速での切替半径位置から、最も外周となる半径位置を選択する。これにより各層共にサポートされている線速に抑えることができる。
【００７９】
なお、第１の再生倍速テーブル７０２と第２の再生倍速テーブル７０４から共通なＰＣＡＶ倍速が選択された場合に、例えば、図７では６倍ＰＣＡＶ倍速である。６倍ＣＡＶと６倍ＣＬＶは所定の切替半径位置で切替えられる。第１の再生倍速テーブル７０２の６倍ＰＣＡＶ倍速と、第２の再生倍速テーブル７０４の６倍ＰＣＡＶ倍速で切替半径位置が異なる場合でも、第１の再生倍速テーブル７０２の６倍ＰＣＡＶ倍速と第２の再生倍速テーブル７０４の６倍ＰＣＡＶ倍速は同じ倍速とみなす。第３の再生倍速テーブル７０８の６倍ＰＣＡＶ倍速における所定の切替半径位置は、第１の再生倍速テーブル７０２での切替半径位置と第２の再生倍速テーブル７０４での切替半径位置から、最も内周となる半径位置を選択する。これにより各層共にサポートされている線速に抑えることができる。
【００８０】
なお、第２の再生専用層をＭ個と第２の記録可能層をＬ個持つハイブリッド光ディスクでは、第１の再生倍速テーブル７０２は（Ｍ＋N）個の再生専用層を有する再生専用光ディスクの再生倍速テーブルとする。
【００８１】
なお、第２の再生専用層をＭ個と第２の記録可能層をＬ個持つハイブリッド光ディスクでは、第２の再生倍速テーブル７０４は（Ｍ＋N）個の記録可能層を有する再生専用光ディスクの再生倍速テーブルとする。
【００８２】
（実施の形態３）
実施の形態３に係る光ディスク装置は図１における光ディスク装置１００と同じ構成なので説明を省略する。また、前述した実施の形態１および実施の形態２と同じ構成については、図１から図７までと同じ符号を付し説明を省略する。
【００８３】
実施の形態３における倍速決定手段１２４が持つ倍速テーブルを図８に示す。図８は第１の再生倍速テーブル８０２、第２の再生倍速テーブル８０４、第１の記録倍速テーブル８０６、第１の再生記録倍速テーブル８０８から構成される。
【００８４】
倍速決定手段１２４は、ディスク判別信号や信号処理信号を基に光ディスク装置１００で光ディスク１０２に応じて再生倍速と記録倍速を決定する。再生専用光ディスクの再生倍速は第１の再生倍速テーブル８０２から選ばれる。記録可能光ディスクの再生倍速は第２の再生倍速テーブル８０４から選ばれる。記録可能光ディスクの記録倍速は第１の記録倍速テーブル８０６から選ばれる。ハイブリット光ディスクの再生倍速および記録倍速は第１の再生記録倍速テーブル８０８から選ばれる。ハイブリッド光ディスクでは第２の再生専用層と第２の記録可能層によらず第１の再生記録倍速テーブル８０８は同じあり、第２の再生専用層の再生倍速と第２の記録可能層の再生倍速と第２の記録可能層の記録倍速は同じ倍速が決められる。
【００８５】
以上の構成において、実施の形態３に係る光ディスク装置１００について図９を参照して説明する。図９は、実施の形態２に係るハイブリッド光ディスクにおける倍速決定のフローチャートである。
【００８６】
この方法において、光ディスク装置１００には光ディスク１０２が挿入され（Ｓ５００）、ディスク判別手段１１８で光ディスク１０２の種類を判別する（Ｓ５０２）。ディスク判別の結果、光ディスク１０２がハイブリッド光ディスクと判別されたなら、倍速決定手段１２４は第１の再生記録倍速テーブル８０８から第２の再生専用層の再生倍速と第２の記録可能層の再生倍速と第２の記録可能層の記録倍速をそれぞれ決定する（Ｓ９００）。光ディスク１０２が再生専用光ディスクと判別されたなら、倍速決定手段１２４は第１の再生倍速テーブル８０２から再生倍速を決定する（Ｓ９０２）。光ディスク１０２が記録可能光ディスクと判別されたなら、倍速決定手段１２４は第２の再生倍速テーブル８０４から再生倍速を、第１の記録倍速テーブル８０６から記録倍速を決定する（Ｓ９０４）。
【００８７】
以上のように、実施の形態３の光ディスク装置１００によれば、ハイブリッド光ディスクの第２の再生専用層の再生倍速と、第２の記録可能層の再生倍速と、第２の記録可能層の記録倍速を全て同じにできる。これにより、第２の再生専用層から第２の記録可能層へ、或いは第２の記録可能層から第２の再生専用層へ焦点を層間移動させる場合に、ディスクモータ１２２の加減速が不要にすることで、層間移動を素早く行い、次に続く再生および記録の指令にスムーズに行える。
【００８８】
なお、ハイブリッド光ディスクの再生倍速はＣＡＶ倍速としても良い。これにより、半径方向に応じてディスクモータ１２２の回転数を変更することが不要となり、光ディスク１０２の半径方向でディスクモータ１２２の加減速が不要となることで焦点の移動が素早く行える。さらに、消費電力を低くできる。
【００８９】
なお、ハイブリッド光ディスクの再生倍速はＣＬＶ倍速としても良い。これにより、線速度が一定のため半径方向に応じて再生パラメータの変更が不要となり、安定した再生が可能となる。
【００９０】
なお、ハイブリッド光ディスクの再生倍速はＺＣＬＶ倍速としても良い。これにより、同じゾーンにおいては線速度が一定のため半径方向に応じて再生パラメータの変更が不要となり安定した再生が可能となる。また、ある半径位置においてより高いＣＬＶ倍速に変更するため再生倍速を高くできため、再生時間が短くなる。
【００９１】
なお、ハイブリッド光ディスクの再生倍速はＰＣＡＶ倍速としても良い。これにより、ＣＡＶ倍速を用いる領域ではディスクモータ１２２の加減速が不要となることで焦点の移動が素早く行える。さらに、消費電力を低くできる。また、再生倍速を高くでき、再生時間が短くなる。
【００９２】
なお、倍速決定手段１２４が倍速抑制信号を受けて倍速抑制を行う場合には、第１の再生記録倍速テーブル８０８から再生倍速と記録倍速を再選択する。例えば、例えば、再生倍速が６倍ＣＡＶの場合に倍速抑制を行う場合は、４ｘＣＬＶを選択する。
【００９３】
（実施の形態４）
実施の形態４に係る光ディスク装置は図１における光ディスク装置１００と同じ構成なので説明を省略する。また、前述した実施の形態１から実施の形態３と同じ構成については、図１から図９までと同じ符号を付し説明を省略する。
【００９４】
実施の形態４における倍速決定手段１２４が持つ倍速テーブルを図１０に示す。図１０は第１の再生倍速テーブル１００２、第２の再生倍速テーブル１００４、第１の記録倍速テーブル１００６、第１の再生記録倍速テーブル１００８から構成される。
【００９５】
倍速決定手段１２４は、ディスク判別信号や信号処理信号を基に光ディスク装置１００で光ディスク１０２に応じて再生倍速と記録倍速を決定する。再生専用光ディスクの再生倍速は第１の再生倍速テーブル１００２から選ばれる。記録可能光ディスクの再生倍速は第２の再生倍速テーブル１００４から選ばれる。記録可能光ディスクの記録倍速は第１の記録倍速テーブル１００６から選ばれる。第１の再生倍速テーブル１００２と第２の再生倍速テーブル１００４と第１の記録倍速テーブル１００６に共通な倍速を抽出し、第１の再生記録倍速テーブル１００８を作成し、ハイブリッド光ディスクの再生倍速および記録倍速は第１の再生記録倍速テーブル１００８から選ばれる。図１０においては、1倍ＣＬＶ、２倍ＣＬＶ、２倍−４倍ＺＣＬＶ倍速、６倍ＰＣＡＶ倍速が共通なので、これらが第１の再生記録倍速テーブル１００８となる。ハイブリッド光ディスクでは第２の再生専用層と第２の記録可能層によらず第１の再生記録倍速テーブル１００８は同じあり、第２の再生専用層の再生倍速と第２の記録可能層の再生倍速と第２の記録可能層の記録倍速は同じ倍速が決められる。
【００９６】
以上の構成において、実施の形態４に係る光ディスク装置１００について図１１を参照して説明する。図１１は、実施の形態４に係るハイブリッド光ディスクにおける倍速決定のフローチャートである。
【００９７】
この方法において、光ディスク装置１００には光ディスク１０２が挿入され（Ｓ５００）、ディスク判別手段１１８で光ディスク１０２の種類を判別する（Ｓ５０２）。ディスク判別の結果、光ディスク１０２がハイブリッド光ディスクと判別されたなら、倍速決定手段１２４は第１の再生倍速テーブル１００２と第２の再生倍速テーブル１００４と第１の記録倍速テーブル１００６に共通な倍速から第１の再生記録倍速テーブル１００８を作成する（Ｓ１１００）。そして、倍速決定手段１２４は、第１の再生記録倍速テーブル１１０８から、第２の再生専用層の再生倍速と第２の記録可能層の再生倍速と第２の記録可能層の記録倍速をそれぞれ決定する（Ｓ１１０２）。光ディスク１０２が再生専用光ディスクと判別されたなら、倍速決定手段１２４は第１の再生倍速テーブル１００２から再生倍速を決定する（Ｓ１１０４）。光ディスク１０２が記録可能光ディスクと判別されたなら、倍速決定手段１２４は第２の再生倍速テーブル１００４から再生倍速を、第１の記録倍速テーブル１００６から記録倍速を決定する（Ｓ１１０６）。
【００９８】
以上のように、実施の形態４の光ディスク装置１００によれば、ハイブリッド光ディスクの第２の再生専用層の再生倍速と第２の記録可能層の再生倍速と第２の記録可能層の記録倍速を同じにできる。これにより、第２の再生専用層から第２の記録可能層へ、或いは第２の記録可能層から第２の再生専用層へ焦点を層間移動させる場合に、ディスクモータ１２２の加減速が不要にすることで、層間移動を素早く行い、次に続く再生の指令にスムーズに行える。さらに、第１の再生記録倍速テーブル１００８のみを用意すれば良く、ハイブリッド光ディスク向けの設計・検証が不要なため工数が増えない。また、各種設定テーブルが不要なため、ソフトウェアコストが増えない。
【００９９】
なお、第１の再生倍速テーブル１００２と、第２の再生倍速テーブル１００４と、第１の記録倍速テーブル１００６から共通なＺＣＬＶ倍速が選択された場合に、例えば、図１０では２倍−４倍ＺＣＬＶ倍速である。２倍ＣＬＶと4倍ＣＬＶは所定の切替半径位置で切替えられる。第１の再生倍速テーブル１００２の２倍−4倍ＺＣＬＶ倍速と、第２の再生倍速テーブル１００４の２倍−4倍ＺＣＬＶ倍速と、第１の記録倍速テーブル１００６の２倍−4倍ＺＣＬＶ倍速とで切替半径位置が異なる場合でも、第１の再生倍速テーブル１００２の２倍−4倍ＺＣＬＶ倍速と第２の再生倍速テーブル１００４の２倍−4倍ＺＣＬＶ倍速と第１の記録倍速テーブル１００６の２倍−4倍ＺＣＬＶ倍速とは同じ倍速とみなす。第１の再生記録倍速テーブル１００８の２倍−4倍ＺＣＬＶ倍速における所定の切替半径位置は、第１の再生倍速テーブル１００２での切替半径位置と第２の再生倍速テーブル１００４での切替半径位置と第１の記録倍速テーブル１００６での切替半径位置から、最も外周となる半径位置を選択する。これにより各層共にサポートされている線速に抑えることができる。
【０１００】
なお、第１の再生倍速テーブル１００２と第２の再生倍速テーブル１００４と記録倍速テーブル１００６から、共通なＰＣＡＶ倍速が選択された場合に、例えば、図１０では６倍ＰＣＡＶ倍速である。６倍ＣＡＶと６倍ＣＬＶは所定の切替半径位置で切替えられる。第１の再生倍速テーブル１００２の６倍ＰＣＡＶ倍速と、第２の再生倍速テーブル１００４の６倍ＰＣＡＶ倍速と第１の記録倍速テーブル１００６の６倍ＰＣＡＶ倍速で切替半径位置が異なる場合でも、第１の再生倍速テーブル１００２の６倍ＰＣＡＶ倍速と第２の再生倍速テーブル１００４の６倍ＰＣＡＶ倍速と第１の記録倍速テーブル１００６の６倍ＰＣＡＶ倍速とは同じ倍速とみなす。第１の再生記録倍速テーブル１００８の６倍ＰＣＡＶ倍速における所定の切替半径位置は、第１の再生倍速テーブル１００２での切替半径位置と第２の再生倍速テーブル１００４での切替半径位置と第１の記録倍速テーブル１００６での切替半径位置から、最も内周となる半径位置を選択する。これにより各層共にサポートされている線速に抑えることができる。
【０１０１】
なお、第２の再生専用層をＭ個と第２の記録可能層をＬ個持つハイブリッド光ディスクでは、第１の再生倍速テーブル１００２は（Ｍ＋N）個の再生専用層を有する再生専用光ディスクの再生倍速テーブルとする。
【０１０２】
なお、第２の再生専用層をＭ個と第２の記録可能層をＬ個持つハイブリッド光ディスクでは、第２の再生倍速テーブル１００４は（Ｍ＋N）個の記録可能層を有する再生専用光ディスクの再生倍速テーブルとする。
【０１０３】
なお、第２の再生専用層をＭ個と第２の記録可能層をＬ個持つハイブリッド光ディスクでは、第１の記録倍速テーブル１００４は（Ｍ＋N）個の記録可能層を有する記録可能光ディスクの記録倍速テーブルとする。
【０１０４】
（実施の形態５）
実施の形態５に係る光ディスク装置は図１における光ディスク装置１００と同じ構成なので説明を省略する。また、前述した実施の形態１から実施の形態４と同じ構成については、図１から図１１までと同じ符号を付し説明を省略する。
【０１０５】
実施の形態５において、光ディスク装置１００は第２の再生専用層の情報を再生する場合は、システムコントローラ１２０は目標光出力信号として第１の目標再生光出力信号を光源制御手段１０６に入力し、光源制御手段１０６は光源１０４の出力が第１の再生光出力となるように制御する。また、第２の記録可能層の情報を再生する場合は、システムコントローラ１２０は目標光出力信号として第２の目標再生光出力信号を光源制御手段１０６に入力し、光源制御手段１０６は光源１０４の出力が第２の再生光出力となるように制御する。一般に再生専用層の反射率と記録可能層の反射率を比較すると記録可能層の反射率の方が低い。反射率が低いほど、反射光に含まれる信号成分が小さくなる。そのため記録可能層を再生する際の光源の光出力は再生専用層を再生する際の光源の光出力よりも大きくすることが適当である。同様なことは、第２の再生専用層と第２の記録可能層とにも言え、信号層により光源の光出力を変えることが適当である。例えば、第２の再生専用層を０．５ｍＷの光出力で、第２の記録可能層を１．０ｍＷの光出力で再生すると想定する。
【０１０６】
以上の構成において、実施の形態５に係る光ディスク装置１００について図１２を参照して説明する。図１２は、実施の形態５に係るハイブリッド光ディスクにおける層間移動のフローチャートである。
【０１０７】
この方法において、光ディスク装置１００はハイブリッド光ディスクの第２の記録可能層の再生が行われ、光源１０４は第２の再生光出力で制御されている（Ｓ１２００）。第２の再生専用層への再生が指示される（Ｓ１２０２）。システムコントローラ１２０は、第２の記録可能層から第２の再生専用層へ層間移動する前に第２の目標再生光出力信号と第１の目標再生光出力信号を比較する。（Ｓ１２０４）。比較した結果、第２の目標再生光出力信号が第１の目標再生光出力信号よりも高いと判別された場合は、目標光出力信号を第１の目標再生光出力信号に設定し（Ｓ１２０６）、第２の再生専用層へ層間移動を行い（Ｓ１２０８）、第２の再生専用層の情報を再生する（Ｓ１２１４）。第２の目標再生光出力信号が第１の目標再生光出力信号よりも低いと判別された場合は、第２の再生専用層へ層間移動を行い（Ｓ１２１０）、目標光出力信号を第１の目標再生光出力信号に設定し（Ｓ１２１２）、第２の再生専用層の情報を再生する（Ｓ１２１４）。
【０１０８】
以上のように、実施の形態５の光ディスク装置１００によれば、光源１０４からの光出力が第２の再生専用層と第２の記録可能層で異なる場合において、層間移動に第２の目標光出力信号と第１の目標光出力信号を比較するため、ハイブリッド光ディスクに記録されて情報を損傷しない。
【０１０９】
なお、第２の再生専用層から第２の記録可能層へ層間移動する際も図４と同様な流れで行う。
【０１１０】
なお、光源制御手段１０８は光出力が整定しているかを判別する光出力整定判別手段１３０２を有する（図１３）。光出力整定判別手段１３０２は、検出した光出力と目標光出力を比較して、光出力が所定の範囲であるか否かを判別する。これにより、光出力が整定した後に層間移動を行うため、より確かにハイブリッド光ディスクに記録されている情報を損傷しない。
【０１１１】
なお、信号処理手段１１４は、信号処理手段制御信号に基づいて信号処理方式と増幅手段１４０２の増幅率を変更する。信号処理手段制御信号は信号処理手段１１４を制御する信号である。例えば、ディスクの種類や目標光出力信号である。信号処理方式はディスクの種類に応じた信号処理の方式で、例えば、トラッキングエラー信号の場合は再生専用光ディスクには位相差法を記録可能光ディスクにはプッシュプル法が適している。増幅手段１４０２はディスクの種類や目標光出力信号に応じた入出力の増幅率を設定する。ディスクの種類によって反射率は異なる。また、光出力を小さくすると信号処理信号が小さくなり、サーボ手段１１６やシステムコントローラ１２０などの制御が不安定にある場合がある。このような場合に、増幅率を変更し信号処理信号を所望のレベルに保つことで制御を安定にできる。
【産業上の利用可能性】
【０１１２】
本発明による光ディスク装置は、再生専用層と記録可能層を備えるハイブリッド光ディスクにおいても適切に再生倍速や記録倍速を決定することが可能となり、ハイブリッド光ディスクの再生および記録に有用である。
【符号の説明】
【０１１３】
１０２    光ディスク
１０６    光源
１０８    光源制御手段
１１０    集光手段
１１２    受光手段
１１４    信号処理手段
１１６    サーボ手段
１１８    ディスク判別手段
１２４    倍速決定手段
４０２，６０２，８０２，１００２    第１の再生倍速テーブル
４０４，６０４，８０４，１００４    第２の再生倍速テーブル
４０６，６０６，８０６，１００６    第１の記録倍速テーブル
４０８，６０８    第３の再生倍速テーブル
４１０，６１０    第２の記録倍速テーブル
８０８，１００８    第１の再生記録倍速テーブル
１３０２    光出力整定判別手段
１４０２    増幅手段
【図１】
2010250906.tif 000003
【図２】
2010250906.tif 000004
【図３】
2010250906.tif 000005
【図４】
2010250906.tif 000006
【図５】
2010250906.tif 000007
【図６】
2010250906.tif 000008
【図７】
2010250906.tif 000009
【図８】
2010250906.tif 000010
【図９】
2010250906.tif 000011
【図１０】
2010250906.tif 000012
【図１１】
2010250906.tif 000013
【図１２】
2010250906.tif 000014
【図１３】
2010250906.tif 000015
【図１４】
2010250906.tif 000016